(57)【要約】【課題】　かかる従来技術のインターネット（ＩＰ）フォンを用いた通話時の問題を解決するための通信システムに関するもので、ＰＳＴＮフォンからＩＰフォンに電話をかける時にリングバックトーンを生成して伝送する方法、及びこのためのシステムを提供する。【解決手段】　インターネットプロトコルに基づいた第１端末機において、コール設定を要求した第２端末機が属するネットワークタイプを確認し、該ネットワークのタイプに従って前記第２端末機に伝送するリングバックトーンデータを生成し、そのリングバックトーンデータを前記コール設定要求に対する応答メッセージに挿入し、前記応答メッセージを前記第２端末機に伝送することを特徴とする。【選択図】　図３
2004135329.tif 000002
【特許請求の範囲】
【請求項１】
　インターネットプロトコルに基づいた第１端末機において、
　コール設定を要求した第２端末機が属するネットワークのタイプを確認する段階；
　前記ネットワークのタイプに従って前記第２端末機に伝送するリングバックトーンデータを生成する段階；
　前記リングバックトーンデータを前記コール設定要求に対する応答メッセージに挿入する段階；
　前記応答メッセージを前記第２端末機に伝送する段階を含めてなることを特徴とするリングバックトーン伝送方法。
【請求項２】
　前記応答メッセージは実時間伝送プロトコルに基づいて生成される、少なくとも一つのデータパケットであることを特徴とする請求項１記載のリングバックトーン伝送方法。
【請求項３】
　前記発生したリングバックトーンデータを保存する段階；
　前記リングバックトーンデータを応答メッセージに挿入するために前記保存されたリングバックトーンを先入／先出方式で読み出す段階をさらに含めてなることを特徴とする請求項１記載のリングバックトーン伝送方法。
【請求項４】
　前記ネットワークのタイプは前記第２端末機の番号、又は前記ネットワークから伝達された特定のメッセージを通じて確認することを特徴とする請求項１記載のリングバックトーン伝送方法。
【請求項５】
　前記第２端末機の番号のうちプレフィックス（ｐｒｅｆｉｘ）を通じて前記ネットワークのタイプを確認することを特徴とする請求項４記載のリングバックトーン伝送方法。
【請求項６】
　前記特定のメッセージは前記ネットワークがリングバックトーン生成機能がないことを知らせるメッセージであることを特徴とする請求項４記載のリングバックトーン伝送方法。
【請求項７】
　前記ネットワークのタイプが公衆交換電話ネットワーク（ｐｕｂｌｉｃ　ｓｗｉｔｃｈｅｄ　ｔｅｌｅｐｈｏｎｅ　ｎｅｔｗｏｒｋ）である場合、前記第１端末機が前記リングバックトーンデータを発生することを特徴とする請求項１記載のリングバックトーン伝送方法。
【請求項８】
　コール設定を要求した第２端末機が属するネットワークのタイプを確認して、リングバックトーンを発生するかどうかを決定する決定部；
　前記決定部の決定に従って、前記第２端末機に伝送するリングバックトーンデータを生成し、前記リングバックトーンデータを前記コール設定要求に対する応答メッセージに挿入して伝送する信号処理部を含めて構成されることを特徴とするインターネットプロトコルに基づいた第１端末機。
【請求項９】
　前記応答メッセージは実時間伝送プロトコルに基づいて生成される少なくとも一つのデータパケットであることを特徴とする請求項８記載のインターネットプロトコルに基づいた第１端末機。
【請求項１０】
　前記信号処理機は、
　前記ネットワークのタイプが公衆交換電話ネットワークである場合、前記生成器は前記リングバックトーンデータを発生することを特徴とする請求項８記載のインターネットプロトコルに基づいた第１端末機。
【請求項１１】
　前記発生したリングバックトーンデータを保存するメモリをさらに含めて構成され、前記信号処理機は前記リングバックトーンデータを応答メッセージに挿入するために前記保存されたリングバックトーンデータを先入／先出方式で読み出すことを特徴とする請求項８記載のインターネットプロトコルに基づいた第１端末機。
【請求項１２】
　前記ネットワークのタイプは前記第２端末機の番号、又は前記ネットワークから伝達された特定のメッセージを通じて確認することを特徴とする請求項８記載のインターネットプロトコルに基づいた第１端末機。
【請求項１３】
　前記第２端末機の番号のうちプレフィックスを通じて前記ネットワークのタイプを確認することを特徴とする請求項１２記載のインターネットプロトコルに基づいた第１端末機。
【請求項１４】
　前記特定のメッセージは前記ネットワークがリングバックトーン生成機能がないことを知らせるメッセージであることを特徴とする請求項１２記載のインターネットプロトコルに基づいた第１端末機。
【請求項１５】
　　第２端末機で第１端末機の要請に応じて前記第１端末機が属した第１ネットワークの接続点からコール設定メッセージを受信する段階；
　前記第２端末機で前記コール設定メッセージに応答する応答メッセージに、前記第１端末機に伝送されるリングバックトーンデータを挿入する段階；
　前記第２端末機で前記挿入された応答メッセージを前記第１ネットワークの接続点に伝送する段階；
　前記接続点で前記挿入された応答メッセージからリングバックトーンを再生して、前記第１端末機に提供する段階を含めてなることを特徴とする、互いに異なる通信プロトコルに基づいて運用される端末機のためのリングバックトーン発生方法。
【請求項１６】
　前記応答メッセージは実時間伝送プロトコルに基づいて生成される少なくとも一つのデータパケットであることを特徴とする請求項１５記載の互いに異なる通信プロトコルに基づいて運用される端末機のためのリングバックトーン発生方法。
【請求項１７】
　前記ネットワークのタイプがＰＳＴＮである場合、前記リングバックトーンデータを発生することを特徴とする請求項１５記載の互いに異なる通信プロトコルに基づいて運用される端末機のためのリングバックトーン発生方法。
【請求項１８】
　第１ネットワークに属する第１端末機；
　第２ネットワークに属し、前記第１端末機からのコール設定要求に応答してリングバックトーンデータを発生し、該リングバックトーンデータを実時間伝送プロトコルに基づいた応答メッセージに挿入する第２端末機；
　前記コール設定メッセージを前記第２端末機に伝送し、前記第２端末機からの応答メッセージからリングバックトーンを再生するゲートウェイ及び／又はソフトスイッチを含めて構成されることを特徴とする、互いに異なる通信プロトコルに基づいて運用される端末機のためのリングバックトーンを発生するためのシステム。
【請求項１９】
　前記第１端末機は公衆交換電話ネットワークに属し、前記第２端末機はインターネットプロトコルネットワークに属することを特徴とする請求項１８記載の互いに異なる通信プロトコルに基づいて運用される端末機のためのリングバックトーンを発生するためのシステム。
【発明の詳細な説明】
【技術分野】
【０００１】
　本発明は通信システムに関し、特にリングバックトーンを発生して伝送する方法、及びこのためのシステムに関する。
【背景技術】
【０００２】
　発信側が有線、又は無線電話を用いて通話のためにダイアリングをすると、前記発信者側は着信側に呼出信号が伝送中であることを知らせる信号音を聞くが、この信号音をリングバックトーンという。
【０００３】
　通常、公衆交換電話網（Ｐｕｂｌｉｃ　Ｓｗｉｔｃｈｅｄ　Ｔｅｌｅｐｈｏｎｅ　Ｎｅｔｗｏｒｋ：ＰＳＴＮ）内で通信端末機の間に通話連結が試みられるときに、着信側端末機の交換機で前記リングバックトーンを生成し、この生成されたリングバックトーンを発信側端末機へ伝送する。
【０００４】
　以下、添付の図面を参照にして従来技術のインターネットフォン（ＩＰ　Ｐｈｏｎｅ）を用いた通話に関して説明する。
【０００５】
　図１はインターネットフォーンを用いた通話時の一般的な通信網構成図である。
【０００６】
　公衆交換電話網（ＰＳＴＮ）のＥ．１６４標準に従う電話連結方法は、受信者の電話番号を用いて送信者と受信者とを連結する方法に基づいている。
【０００７】
　即ち、前記送信者が特定の受信者の電話番号を入力すると、公衆交換電話網（ＰＳＴＮ）は前記送信者により入力された電話番号を用いて特定の受信者と前記送信者とを連結する通信経路を設定する。
【０００８】
　公衆交換電話網（ＰＳＴＮ）のように音声通話を主目的に構築された通信網とは別途に、データ送受信を目的に構築されたデータ通信網をその大きさによって、ＬＡＮ（Ｌｏｃａｌ　Ａｒｅａ　Ｎｅｔｗｏｒｋ）、ＷＡＮ（ｗｉｄｅ　ａｒｅａ　ｎｅｔｗｏｒｋ）、又はインターネットと称する。通常のデータ通信網はデータ送受信の特性上、データをパケット形態で送受信する。
【０００９】
　最近、音声通信、及びデータ通信分野において最大の主題は、インターネットプロトコル（以下、インターネット（ＩＰ）と略する）ネットワークのようなパケットデータ網を用いて音声を伝送することである。
【００１０】
　常用化した最初のパケットデータ網を用いた音声伝送はフォーン−ｔｏ−フォーン（Ｐｈｏｎｅ−ｔｏ−Ｐｈｏｎｅ）サービスである。
【００１１】
　例えば、送信者ａが既存の公衆交換電話網（ＰＳＴＮ）を通じて付近のインターネット（ＩＰ）電話会社Ａのデータ通信網に接続して、受信者ｂの電話番号を入力すると、インターネット（ＩＰ）ネットワークを通じて受信者ｂ付近のインターネット（ＩＰ）電話会社Ｂのデータ通信網に連結され、前記インターネット（ＩＰ）電話会社Ｂのデータ通信網は他の公衆交換電話網（ＰＳＴＮ）を通じて受信者ｂに連結する。
【００１２】
　持続的な発展を経て、現在はＰＣ−ｔｏ−ＰＳＴＮフォン、及びＩＰフォン−ｔｏ−ＩＰフォンなどに発展している。
【００１３】
　ＰＣ−ｔｏ−ＰＣ、ＰＣ−ｔｏ−ＰＳＴＮフォン、及びＩＰフォン−ｔｏ−ＩＰフォン間の音声通信のための国際標準としてＨ．３２３勧告案がある。
【００１４】
　Ｈ．３２３勧告案はマルチメディア画像会議データを伝送制御プロトコル／インターネットプロトコル（ＴＣＰ／ＩＰ）のようなパケット交換方式のネットワークを通じて伝送するためのＩＴＵ−Ｔ（Ｉｎｔｅｒｎａｔｉｏｎａｌ　Ｔｅｌｅｃｏｍｍｕｎｉｃａｔｉｏｎｓ　Ｕｎｉｏｎ　-　Ｔｅｌｅｃｏｍｍｕｎｉｃａｔｉｏｎ　Ｓｔａｎｄａｒｄｉｚａｔｉｏｎ　Ｓｅｃｔｏｒ）の標準である。
【００１５】
　図１を参照すると、ＰＳＴＮフォンの発信側がインターネット（ＩＰ）フォンの着信側に電話をかけると、前記ＰＳＴＮフォンはトランクゲートウェイを通じてインターネット（ＩＰ）網に連結され、前記トランクゲートウェイは前記インターネット（ＩＰ）網でソフトスイッチやインターネット（ＩＰ）フォンサーバーを通じて前記インターネット（ＩＰ）フォンに連結される。
【００１６】
　即ち、前記ＰＳＴＮフォンと前記ＩＰフォンとの連結は図１の
【００１７】
【表１】
2004135329.tif 000003
の経路を通じて成される。
【００１８】
　前記ＩＰフォンサーバーはゲートキーパー、プロクシサーバー、そして、コール制御器を含む。
【００１９】
　ここで、前記ゲートキーパーはＨ．３２３勧告案でその概念が提示されたもので、Ｅ．１６４／ＩＰ住所翻訳、認証制御、帯域制御、通話制御、通話経路／制御資源利用、及び保安機能などを担当する。
【００２０】
　前記プロクシサーバーはＶｏＩＰ（ｖｏｉｃｅ　ｏｖｅｒ　ＩＰ［Ｉｎｔｅｒｎｅｔ　Ｐｒｏｔｏｃｏｌ］）でのコール設定、コール取消し、コール終了などＵＡ（Ｕｓｅｒ　Ａｇｅｎｔ）から受信されたコール管理要請メッセージを貯蔵した後、同一のユーザーに対してあちごち登録されたセッション設定プロトコル（Ｓｅｓｓｉｏｎ　Ｉｎｉｔｉａｔｏｉｎ　Ｐｒｏｔｏｃｏｌ；ＳＩＰ）の多様な住所に前記コール管理要請メッセージを同時に伝送する役割を果たす。
【００２１】
　また、前記コール管理要請メッセージに対するユーザーエーゼント（ＵＡ）の応答が前記プロクシサーバーにより受信される場合、前記プロクシサーバーは前記ＵＡには最善の応答を伝送し、同時に発生した他のメッセージの取消しなどの処理を担当する。
【００２２】
　前記ゲートウェイは公衆交換電話網（ＰＳＴＮ）のようなスイッチドネットワークのようなデータ通信網との連動を提供する。また、ゲートウェイは帯域幅／媒体制御だけでなく、プロトコル／媒体変換機能も提供する。
【００２３】
　このようなゲートウェイは他のネットワークに入る入口の役割を果たすネットワークポイントとして、大きく分けて交換局間を連結するトランクゲートウェイと、端末機を直接に連結できるアクセスゲートウェイと、そして、家庭用に使用されるゲートウェイとがある。
【００２４】
　また、図１におけるソフトスイッチは他種の信号方式に対するブリッジの役割、及び様々な形態のメディアゲートを制御する総体的なプラットフォームである。
【００２５】
　前記ソフトスイッチはＨ．３２３勧告案のゲートキーパーの上位階層で、既存のパケット交換網で交換機の役割を果たすソフトウェアとして、音声、データ、映像などの通信情報を統合的に管理可能なインターネット上の統合私設交換機の機能を果たす。
【００２６】
　しかし、このような機能を提供するにも拘わらず、公衆交換電話網（ＰＳＴＮ）フォンからインターネット（ＩＰ）フォンに電話をかける場合に、前記公衆交換網（ＰＳＴＮ）フォンでリングバックトーンを提供するためには、前記インターネット（ＩＰ）フォンに連結されているインターネット（ＩＰ）フォンサーバーやソフトスイッチがリングバックトーンを生成しなければならないが、この両ディバイスは前記リングバックトーンを発生させるモジュールを有していない。したがって、前記リングバックトーンは前記ＰＳＴＮフォンに伝送されえない。
【００２７】
　従来の技術ではインターネット（ＩＰ）フォン間で通話連結を試みる場合、主に発信側インターネット（ＩＰ）フォンがリングバックトーンを生成して、前記発信側インターネット（ＩＰ）フォンのユーザーに聞かせ、インターネット（ＩＰ）フォンから公衆交換電話網（ＰＳＴＮ）フォンに通話連結を試みる場合、ゲートウェイが前記インターネット（ＩＰ）フォンにリングバックトーンを伝送する。
【００２８】
　しかし、公衆交換電話網（ＰＳＴＮ）フォーンと、インターネット（ＩＰ）フォンとを連結するトランクゲートウェイは前記リングバックトーンを生成するモジュールが存在せず、公衆交換電話網（ＰＳＴＮ）フォンから前記ＩＰフォンにリングバックトーンを伝送できなかった。
【００２９】
　通常、リングバックトーンは公衆交換電話網（ＰＳＴＮ）フォン間で通話連結を試みる場合、着信側の交換機でリングバックトーンを生成して発信側ＰＳＴＮフォンに伝送する。
【００３０】
　また、インターネット（ＩＰ）フォン間の連動時にはアクセスゲートウェイが前記リングバックトーンを生成し、この生成されたリングバックトーンを発信側のＩＰフォンに伝送するか、発信側のＩＰフォン自体で前記リングバックトーンを生成して、前記発信側インターネット（ＩＰ）フォンのユーザーに提供する。
【００３１】
　しかし、端末機に連結されているアクセスゲートウェイとは異なり、交換局間を連結するトランクゲートウェイはリングバックトーンを発生させる装置を備えていない。
【発明の開示】
【発明が解決しようとする課題】
【００３２】
　しかしながら、かかる従来技術のインターネット（ＩＰ）フォンを用いた通話方法においては次のような問題がある。
公衆交換電話網（ＰＳＴＮ）フォンからインターネット（ＩＰ）フォンに電話をかける場合、公衆交換電話網（ＰＳＴＮ）とパケットデータ通信網との間でゲートウェイが前記リングバックトーンを生成できない場合が発生しえる。
【００３３】
　即ち、交換局間を連結するトランクゲートウェイはリングバックトーンを発生させる装置を備えていないため、公衆交換電話網（ＰＳＴＮ）フォンからインターネット（ＩＰ）フォンに電話をかける場合には、ＰＳＴＮフォンの発信側は何の音も聞けない。即ち、前記ＰＳＴＮフォンの発信側はＩＰフォンの着信側がハンドセットを持ち上げるか、マイクロフォンをオンするまで電話連結がうまく行っているかどうかを認識しにくい。
【００３４】
　結果的に、ＩＰフォン間で通話連結を試みる場合、発信側のＩＰフォンは自分のユーザーにリングバックトーンを発生させるが、ＰＳＴＮフォンからＩＰフォンへの通話連結を試みる場合、トランクゲートウェイは前記リングバックトーンを生成できないので、前記ＰＳＴＮフォンの発信側に伝送できないという問題がある。
【００３５】
　そこで、本発明の目的は、かかる従来技術のインターネット（ＩＰ）フォンを用いた通話時の問題を解決するための通信システムに関するもので、ＰＳＴＮフォンからＩＰフォンに電話をかける時にリングバックトーンを生成して伝送する方法、及びこのためのシステムを提供する。
【課題を解決するための手段】
【００３６】
　上記目的を達成するための本発明の一特徴によれば、インターネットプロトコルに基づいた第１端末機において、リングバックトーンを伝送する方法は、コール設定を要求した第２端末機が属するネットワークのタイプを確認する段階；前記ネットワークのタイプに従って前記第２端末機に伝送するリングバックトーンデータを生成する段階；前記リングバックトーンデータを前記コール設定要求に対する応答メッセージに挿入する段階；前記応答メッセージを前記第２端末機に伝送する段階を備えてなる。
【００３７】
　本発明の他の特徴によれば、インターネットプロトコルに基づいた第１端末機は、コール設定を要求した第２端末機が属するネットワークのタイプを確認して、リングバックトーンを発生するかどうかを決定する決定部；前記決定部の決定に従って前記第２端末機に伝送するリングバックトーンデータを生成し、前記リングバックトーンデータを前記コール設定要求に対する応答メッセージに挿入して伝送する信号処理部を含めて構成される。
【００３８】
　本発明のまた他の特徴によれば、互いに異なる通信プロトコルに基づいて運用される端末機のためのリングバックトーン発生方法は、第２端末機で第１端末機の要請に応じて前記第１端末機が属した第１ネットワークの接続点からコール設定メッセージを受信する段階；前記第２端末機で前記コール設定メッセージに応答する応答メッセージに、前記第１端末機に伝送されるリングバックトーンデータを挿入する段階；前記第２端末機で前記挿入された応答メッセージを前記第１ネットワークの接続点に伝送する段階；前記接続点で前記挿入された応答メッセージからリングバックトーンを再生して、前記第１端末機に提供する段階を含めてなる。
【００３９】
　さらにまた他の特徴によれば、互いに異なる通信プロトコルに基づいて運用される端末機のためのリングバックトーンを発生するためのシステムは、第１ネットワークに属する第１端末機；第２ネットワークに属し、前記第１端末機からのコール設定要求に応答してリングバックトーンデータを発生し、該リングバックトーンデータを実時間伝送プロトコルに基づいた応答メッセージに挿入する第２端末機；前記コール設定メッセージを前記第２端末機に伝送し、前記第２端末機からの応答メッセージからリングバックトーンを再生するゲートウェイ及び／又はソフトスイッチを含めて構成される。
【００４０】
　本発明によるリングバックトーン伝送方法は、インターネットプロトコルに基づいた第１端末機において、コール設定を要求した第２端末機が属するネットワークのタイプを確認する段階；前記ネットワークのタイプに従って前記第２端末機に伝送するリングバックトーンデータを生成する段階；前記リングバックトーンデータを前記コール設定要求に対する応答メッセージに挿入する段階；前記応答メッセージを前記第２端末機に伝送する段階を含めてなることを特徴とし、それにより上記目的が達成される。
【００４１】
　前記応答メッセージは実時間伝送プロトコルに基づいて生成される、少なくとも一つのデータパケットであることを特徴としてもよい。
【００４２】
　前記発生したリングバックトーンデータを保存する段階；前記リングバックトーンデータを応答メッセージに挿入するために前記保存されたリングバックトーンを先入／先出方式で読み出す段階をさらに含めてなることを特徴としてもよい。
【００４３】
　前記ネットワークのタイプは前記第２端末機の番号、又は前記ネットワークから伝達された特定のメッセージを通じて確認することを特徴としてもよい。
【００４４】
　前記第２端末機の番号のうちプレフィックス（ｐｒｅｆｉｘ）を通じて前記ネットワークのタイプを確認することを特徴としてもよい。
【００４５】
　前記特定のメッセージは前記ネットワークがリングバックトーン生成機能がないことを知らせるメッセージであることを特徴としてもよい。
【００４６】
　前記ネットワークのタイプが公衆交換電話ネットワーク（ｐｕｂｌｉｃ　ｓｗｉｔｃｈｅｄ　ｔｅｌｅｐｈｏｎｅ　ｎｅｔｗｏｒｋ）である場合、前記第１端末機が前記リングバックトーンデータを発生することを特徴としてもよい。
【００４７】
　本発明によるインターネットプロトコルに基づいた第一端末機は、コール設定を要求した第２端末機が属するネットワークのタイプを確認して、リングバックトーンを発生するかどうかを決定する決定部；前記決定部の決定に従って、前記第２端末機に伝送するリングバックトーンデータを生成し、前記リングバックトーンデータを前記コール設定要求に対する応答メッセージに挿入して伝送する信号処理部を含めて構成されることを特徴とし、それにより上記目的が達成される。
【００４８】
　前記応答メッセージは実時間伝送プロトコルに基づいて生成される少なくとも一つのデータパケットであることを特徴としてもよい。
【００４９】
　前記信号処理機は、前記ネットワークのタイプが公衆交換電話ネットワークである場合、前記生成器は前記リングバックトーンデータを発生することを特徴としてもよい。
【００５０】
　前記発生したリングバックトーンデータを保存するメモリをさらに含めて構成され、前記信号処理機は前記リングバックトーンデータを応答メッセージに挿入するために前記保存されたリングバックトーンデータを先入／先出方式で読み出すことを特徴としてもよい。
【００５１】
　前記ネットワークのタイプは前記第２端末機の番号、又は前記ネットワークから伝達された特定のメッセージを通じて確認することを特徴としてもよい。
【００５２】
　前記第２端末機の番号のうちプレフィックスを通じて前記ネットワークのタイプを確認することを特徴としてもよい。
【００５３】
　前記特定のメッセージは前記ネットワークがリングバックトーン生成機能がないことを知らせるメッセージであることを特徴としてもよい。
【００５４】
　本発明による互いに異なる通信プロトコルに基づいて運用される端末機のためのリングバックトーン発生方法は、第２端末機で第１端末機の要請に応じて前記第１端末機が属した第１ネットワークの接続点からコール設定メッセージを受信する段階；前記第２端末機で前記コール設定メッセージに応答する応答メッセージに、前記第１端末機に伝送されるリングバックトーンデータを挿入する段階；前記第２端末機で前記挿入された応答メッセージを前記第１ネットワークの接続点に伝送する段階；前記接続点で前記挿入された応答メッセージからリングバックトーンを再生して、前記第１端末機に提供する段階を含めてなることを特徴とし、それにより上記目的が達成される。
【００５５】
　前記応答メッセージは実時間伝送プロトコルに基づいて生成される少なくとも一つのデータパケットであることを特徴としてもよい。
【００５６】
　前記ネットワークのタイプがＰＳＴＮである場合、前記リングバックトーンデータを発生することを特徴としてもよい。
【００５７】
　本発明による互いに異なる通信プロトコルに基づいて運用される端末機のためのリングバックトーンを発生するためのシステムは、第１ネットワークに属する第１端末機；第２ネットワークに属し、前記第１端末機からのコール設定要求に応答してリングバックトーンデータを発生し、該リングバックトーンデータを実時間伝送プロトコルに基づいた応答メッセージに挿入する第２端末機；前記コール設定メッセージを前記第２端末機に伝送し、前記第２端末機からの応答メッセージからリングバックトーンを再生するゲートウェイ及び／又はソフトスイッチを含めて構成されることを特徴とし、それにより上記目的が達成される。
【００５８】
　前記第１端末機は公衆交換電話ネットワークに属し、前記第２端末機はインターネットプロトコルネットワークに属することを特徴としてもよい。
【発明の効果】
【００５９】
　本発明による実時間伝送プロトコルを用いたインターネット（ＩＰ）フォンのリングバックトーン伝送方法は、公衆交換電話網　（ＰＳＴＮ）とインターネット（ＩＰ）網との連動網構成時にリングを生成できないゲートウェイ装備を含めても、着信側のフォンでＲＴＰパケットを用いてリングバックトーンを伝送することができる。このようにリングバックトーンを生成できないディバイスを含む網を用いる通話時に発信側のＰＳＴＮフォンにリングバックトーンを聞かせることができることから、網構成の効用性を高められるという効果がある。
【発明を実施するための最良の形態】
【００６０】
　以下、本発明の実施形態を添付の図面に基づいて詳細に説明する。
【００６１】
　図２は本発明の好ましい実施形態によるリングバックトーン装置を備えたインターネット（ＩＰ）フォンを示すブロック構成図である。
【００６２】
　図２を参照すると、発／着信側の音声を送受信するハンドセット１０と、該ハンドセット１０以外の音声送受信装置のマイクロフォン１１及びスピーカ１２と、前記ハンドセット１０、前記マイクロフォン１１及びスピーカ１２とデジタル信号処理部（ＤＳＰ）１４との間に構成され、前記ハンドセット１０、前記マイクロフォン１１及びスピーカ１２とデジタル信号処理部（ＤＳＰ）１４との間に送受信されるアナログ及びデジタル信号をアナログ／デジタル変換するか、デジタル／アナログ変換するＡＤ／ＤＡ変換部１３と、前記インターネット（ＩＰ）フォンの受信感度を向上させ、リングバックトーンを生成するためのデジタル信号処理部１４と、着信側の電話番号及び／又は他の機能キーを入力するためのキー入力部１５と、前記電話番号及び／又は前記他の機能キーに従う前記ＩＰフォンの現在の動作モードなどを表示するための表示部１６と、前記インターネット（ＩＰ）フォンの動作命令語などを保存するためのメモリ１７、前記インターネット（ＩＰ）フォンを全般的に制御するための制御部１８、及び前記リングバックトーンを発生するかどうかを決定するためのリングバックトーン発生決定部１９とで構成されている。ここで、未説明符号２０はインターネット（ＩＰ）フォンに電源を供給する電源回路で、２１はインターネット（ＩＰ）フォンと、コンピューター通信網（図１のインターネットフォンサーバー、又はインターネット）とを連結するためのイーサネット（Ｒ）である。
【００６３】
　このような本発明のリングバックトーン発生装置を備えたインターネット（ＩＰ）フォンに対して、発信側のＰＳＴＮフォンが図２に示す着信側のインターネット（ＩＰ）フォンにダイアリングする場合、公衆交換電話網ゲートウェイ（例えば、トランクゲートウェイ）からコール設定メッセージが着信側のインターネット（ＩＰ）フォンに伝送される。
【００６４】
　すると、前記リングバックトーン発生決定部１９は発信側のＰＳＴＮフォンの電話番号を確認するか、又は前記ＰＳＴＮゲートウェイから伝送された特定のメッセージを確認した後、前記リングバックトーンを発生させるかどうかを決定し、その決定結果を前記制御部１８に知らせる。この際、前記発信側の電話番号が公衆交換電話網（ＰＳＴＮ）に連結された任意のＰＳＴＮフォンの電話番号であるか否かは国家コード＋地域番号＋電話番号などで構成されたＰＳＴＮ電話番号の先端のプレフィックスを確認することで分かる。前記リングバックトーンを生成するかは前記ＰＳＴＮフォンの前記確認されたプレフィックスに従って決定される。また、地域（国家）別にもインターネット（ＩＰ）フォン電話番号が設定されているので、インターネット（ＩＰ）フォン電話番号のプレフィックスが確認される場合にはリングバックトーンを生成しない。
【００６５】
　即ち、リングバックトーン発生決定部１９は、コール設定メッセージのＰＳＮＴフォン番号のプレフィックス値に基づき、どんなフォン、例えば、ＰＳＴＮフォン、インターネットフォン、モバイルフォンから要請されたコール連結であるかを認知することができ、これに前記ＩＰフォンで前記リングバックトーンを発生させるかどうかを前記制御部１８に知らせる。
【００６６】
　そして、前記ＰＳＴＮゲートウェイから伝送された前記特定のメッセージを確認する方法は、ＰＳＴＮフォンに連結されたＰＳＴＮゲートウェイがトーン発生装置を有していないことを知らせるための前記の特定のメッセージが前記ＩＰフォンに伝送されると、前記ＩＰフォンのリングバックトーン発生決定部１９はリングバックトーンの発生を決定して、これを前記制御部１８に知らせる。
【００６７】
　したがって、前記発信側の電話番号のプレフィックス確認結果、又は前記ＰＳＴＮゲートウェイからの特定のメッセージ確認結果にしたがってＩＰフォン自体でリングバックトーンを発生させるべきと判断されると、前記制御部１８は前記ＤＳＰ１４がリングバックトーンを生成させるように制御し、前記ＤＳＰ１４により生成されたリングバックトーンをメモリ１７が貯蔵するように制御する。その後、前記コール設定メッセージに対する応答メッセージが発信側のＰＳＴＮフォンに伝送されるとき、前記制御部１８は前記メモリ１７からリングバックトーンを読み出し、その読み出したリングバックトーンをパケットデータに挿入し、その挿入されたパケットデータをイーサネット（Ｒ）２１を通じて前記発信側のＰＳＴＮフォンに伝送する。
【００６８】
　一方、前記リングバックトーン発生決定部１９はソフトウェア、又はハードウェア的に構成可能なもので、前記リングバックトーン発生決定部１９をソフトウェア的に構成する場合、前記リングバックトーン発生決定部１９の機能は前記制御部１８の追加機能として実現されえる。
【００６９】
　図３は本発明の好ましい実施形態によるリングバックトーンを生成するための信号流れ図で、図４は本発明によるＲＴＰパケットを用いたリングバックトーン伝送方法を示すフローチャートである。
【００７０】
　本発明ではインターネット（ＩＰ）フォン自体が、ＰＳＴＮフォンからＩＰフォンへの通話を試みる場合、リングバックトーンを発生させるためのリングバックトーン発生装置を備え、ＰＳＴＮ交換機や前記ＩＰフォンのアクセスゲートウェイの助けなしに、発信側のＰＳＴＮフォンにリングバックトーンを生成して伝送しえる。
【００７１】
　図３を参照にすると、発信側のＰＳＴＮフォンが着信側のインターネットフォンにダイアリングすると（Ｓ１０）、前記ＰＳＴＮフォンのＰＳＴＮゲートウェイはプロクシサーバー、ゲートキーパー、コール制御器などを含むＩＰフォンサーブの実時間伝送プロトコルポート（ＲＴＰポート）にコール設定メッセージを伝送する（Ｓ１１）。前記着信側のＩＰフォンは前記コール設定メッセージを受信する。この際、公衆交換電話網（ＰＳＴＮ）とインターネット（ＩＰ）網とを連結させるシステム、つまり、ゲートウェイ及び／又はソフトスイッチなどは自分のポートに対する情報を前記着信側の前記ＩＰフォンに知らせる。次いで、前記コール設定メッセージが前記ＩＰフォンにより受信されると、前記ＩＰフォンのリングバックトーン生成決定部１９は、前記コール設定メッセージがＰＳＴＮフォンから要求されたものであるかどうかを判断し、もし、ＰＳＴＮフォンから要請されたコール設定メッセージであれば、前記制御部１８はＤＳＰ（Ｄｉｇｉｔａｌ　Ｓｉｇｎａｌ　Ｐｒｏｃｅｓｓｏｒ）１４がリングバックトーンを生成するように制御する（Ｓ１２）。メモリ１７は前記生成されたリングバックトーンを保存する。
【００７２】
　このように前記生成されたリングバックトーンが前記メモリ１７に保存されると、前記ＩＰフォンは前記ＰＳＴＮフォンに前記コール設定メッセージに対する応答メッセージ（実時間伝送プロトコルパケットタイプ）を送る。この際、前記ＩＰフォンは前記メモリ１７から読み込んだリングバックトーンを含む応答メッセージを前記ゲートウェイ及び／又はソフトスイッチから知らせられたポートに伝送する。
【００７３】
　即ち、ＤＳＰ１４は前記応答メッセージの実時間伝送プロトコル（ＲＴＰ）パケットの音声パケット領域に前記読み込んだリングバックトーンのデータをパケットデータに挿入して、前記ＰＳＴＮゲートウェイ及び／又はソフトスイッチに伝送する（Ｓ１３）。
【００７４】
　すると、前記ＰＳＴＮゲートウェイ及び／又はソフトスイッチは、前記ＩＰフォンから受けた実時間伝送プロトコル（ＲＴＰ）パケットから前記リングバックトーンを再生し、この再生されたリングバックトーンを前記発信側のＰＳＴＮフォンに提供する（Ｓ１４）。
【００７５】
　前記リングバックトーンが前記ＰＳＴＮフォンに提供される間、前記着信側のＩＰフォンがオフフックになると（Ｓ１５）、前記ＰＳＴＮと前記ＩＰフォンとの間に音声コール発信側フォン、つまり、ＰＳＴＮフォンと、着信側フォン、つまり、ＩＰフォンとの間の実際上の音声通話が行われる。
【００７６】
　このような本発明はＤＳＰ１４を有するＩＰフォンが前記リングバックトーンを生成し、コール設定メッセージに対する応答メッセージの間に、コール設定時に伝送されるＲＴＰパケットにリングバックトーンデータを載せて送り、トランクゲートウェイがリングバックトーンを生成できなくてもＰＳＴＮフォンユーザーがリングバックトーンを受信可能となる。
【００７７】
　以下で本発明のＲＴＰパケットを用いたリングバックトーン伝送方法を図４に基づいて詳細に説明する。
【００７８】
　本発明はＰＳＴＮフォンからＩＰフォンに電話をかける場合にインターネットを通じて連結される全てのフォン、つまり、ケーブルモデム／ＬＡＮ／ＡＤＳＬ（Ａｓｙｍｍｅｔｒｉｃ　Ｄｉｇｉｔａｌ　Ｓｕｂｓｃｒｉｂｅｒ　Ｌｉｎｅ）などの全てのインターネット接続方式を含む受信側のＩＰフォンでリングバックトーンを生成して発信側に伝送する機能を有するようにしたものである。
【００７９】
　まず、ＰＳＴＮフォンからＩＰフォンに電話をかけるための網の構成は、図１に示すように、発信側としてＰＳＴＮに連結されるＰＳＴＮフォンと、公衆交換電話網（ＰＳＴＮ）とインターネット（ＩＰ）網とを連結するトランクゲートウェイと、受信側としてインターネット（ＩＰ）フォンサーバー（Ｐｒｏｘｙ　Ｓｅｒｖｅｒ，ＧａｔｅＫｅｅｐｅｒ，Ｃａｌｌ　Ｃｏｎｔｒｏｌｌｅｒ）に連結されるインターネット（ＩＰ）フォンと、そして、インターネットファンサーバーと、トランクゲートウェイのパケット交換網の交換機の役割を果たすソフトスイッチとを含めて成っている。
【００８０】
　上記のように、ゲートウェイは他のネットワークに入る入口の役割を果たすネットワークポイントであり、プロクシサーバーはＶｏＩＰでのコール設定、取消し、終了など、ユーザーエージェント（ＵＡ）で受信されたコール管理要請メッセージを貯蔵した後、あちこちに登録された同一のユーザーのＳＩＰ住所に同時に送る役割を果たす。
【００８１】
　そして、ソフトスイッチは他種の信号方式に対するブリッジの役割、及び様々な形態のメディアゲートを制御する総体的なプラットフォームである。
【００８２】
　このような構成を有する網を用いてＰＳＴＮフォンからＩＰフォンに電話をかける場合には、通話のためにコールを設定するコール設定作業スタート段階を行う（Ｓ３０１）。この際、公衆交換電話網（ＰＳＴＮ）とインターネット（ＩＰ）網とを連結させるシステム、つまり、ゲートウェイ、ソフトスイッチはコール設定メッセージを伝送しながら自分のポートを着信側の端末に知らせるメッセージをコール設定メッセージに含ませる。
【００８３】
　このように、コール設定作業段階を行うと、着信側端末、つまり、ＩＰフォンはコール設定メッセージを受けたかどうかを判断する（Ｓ３０２）。
【００８４】
　判断の結果（Ｓ３０２）、着信側端末がコール設定メッセージを受けていると、公衆交換電話網（ＰＳＴＮ）に連結されたフォンから発生したコール設定メッセージであるかどうかによってＩＰフォン内のＤＳＰでリングバックトーンを生成してメモリに保存する（Ｓ３０３）。
【００８５】
　そして、リングバックトーンを生成した後にこのデータを実時間伝送プロトコル（ＲＴＰ）パケットに挿入し（Ｓ３０４）、これを先入／先出（Ｆｉｒｓｔ　Ｉｎ　Ｆｉｒｓｔ　Ｏｕｔ：ＦＩＦＯ）方式でネットワークポイントとなるトランクゲートウェイに伝送する（Ｓ３０５）。
【００８６】
　トランクゲートウェイに伝送された実時間伝送プロトコル（ＲＴＰ）パケットは、トランクゲートウェイ、又はブリッジ手段となるソフトスイッチで変換され、発信側の端末に伝送される。
【００８７】
　リングバックトーンはコール設定メッセージに含まれ、伝送されたポートを通じて発信側の端末に伝送される。
【００８８】
　ここで、発信側の端末はＰＳＴＮフォンや、トーン発生装置のないゲートウェイに連結されたフォンである。
【００８９】
　このような本発明は音声とデータをインターネット（ＩＰ）技術を用いてパケット形態で統合し、実時間に伝送するＶｏＩＰ（Ｖｏｉｃｅ　ｏｖｅｒ　Ｉｎｔｅｒｎｅｔ　Ｐｒｏｔｏｃｏｌ）に限定されるものではなく、セッション設定プロトコル（Ｓｅｓｓｉｏｎ　Ｉｎｉｔｉａｔｉｏｎ　Ｐｒｏｔｏｃｏｌ；ＳＩＰ）まで適用可能なことは勿論である。
【００９０】
　ＳＩＰはＶｏＩＰサービスを実現するプロトコル技術の一つで、現在提供されている大部分の常用インターネット電話サービスで採択しているＨ．３２３標準技術を代替する目的でインターネット標準開発器具のＩＥＴＦ（Ｉｎｔｅｒｎｅｔ　Ｅｎｇｉｎｅｅｒｉｎｇ　Ｔａｓｋ　Ｆｏｒｃｅ）で開発された次世代プロトコルである。
【００９１】
　ＳＩＰはマルチメディアセッションの設定、セッション情報交換、及び解除機能などを提供する応用階層のコールシグナリングプロトコルとして、インターネット電話、マルチメディアメッセージングなどのような多様な次世代インターネット応用開発に必ず要求されている技術である。
【００９２】
　かかる従来技術のインターネット（ＩＰ）フォンを用いた通話時の問題を解決するための通信システムに関するもので、ＰＳＴＮフォンからＩＰフォンに電話をかける時にリングバックトーンを生成して伝送する方法、及びこのためのシステムを提供する。
【００９３】
　インターネットプロトコルに基づいた第１端末機において、コール設定を要求した第２端末機が属するネットワークタイプを確認し、該ネットワークのタイプに従って前記第２端末機に伝送するリングバックトーンデータを生成し、そのリングバックトーンデータを前記コール設定要求に対する応答メッセージに挿入し、前記応答メッセージを前記第２端末機に伝送することを特徴とする。
【図面の簡単な説明】
【００９４】
【図１】インターネット（ＩＰ）フォンを用いた通話時の一般的な通信網構成図。
【図２】本発明の好ましい実施形態によるリングバックトーン装置を備えたインターネット（ＩＰ）フォンのブロック構成図。
【図３】本発明によるインターネット（ＩＰ）フォンのリングバックトーンを生成するための信号フローチャート。
【図４】本発明によるインターネット（ＩＰ）フォンのＲＴＰパケットを用いたリングバックトーン伝送方法を示すフローチャート。
【符号の説明】
【００９５】
　１０：送受話器部
　１１：マイク
　１２：スピーカ
　１３：ＡＤ／ＤＡ変換部
　１４：ＤＳＰ
　１５：キー入力部
　１６：表示部
　１７：メモリ部
　１８：ＣＰＵ
　１９：リングバックトーン発生決定部
　２０：電源回路
　２１：イーサネット（Ｒ）
【図１】
2004135329.tif 000004
【図２】
2004135329.tif 000005
【図３】
2004135329.tif 000006
【図４】
2004135329.tif 000007